(57)【要約】【課題】入賞装置内に流入したセーフ球を螺旋状案内手段に沿って上昇させ、回転するテーブルでＶ球の可能性を有するセーフ球を選出する。【解決手段】入賞装置１に螺旋状案内手段１１を設けた円柱体１０を固着し、前記螺旋状案内手段１１に側壁１７を接するように下端部でモーター２４と連結して回転可能とした回転体１５を配置し、回転体１５には下端部から上端部まで外側に膨らみを有する溝を連続して設けてセーフ球の保持部２０とし、回転体１５を回転させてセーフ球を螺旋状案内手段１１に沿って上昇するようにし、上昇したセーフ球を回転体１５と同一成形した上部ステージ３０の内側を構成する円形状のプレート２１上に送り出し、プレート２１の外周近傍に設けた落下口３１、３２、３３にセーフ球が入り、Ｖ通路３４の開口と同位置となった場合にＶ球となる可能性が生ずるようにした。【選択図】        図３
2004194783.tif 000002
【特許請求の範囲】
【請求項１】
遊技中に条件を満たすことによって拡開する左右一対の可動翼片を備え、該左右一対の可動翼片間より入賞したセーフ球から特別セーフ球を選出し、該選出した特別セーフ球が遊技の特別条件を発生可能とするパチンコ機の入賞装置において、該入賞装置に上下二つの入賞室を設け、螺旋状案内手段を有する円柱体を上下の入賞室を仕切る上部テーブルを貫通して入賞装置に固設し、該螺旋状案内手段を有する円柱体を中心に位置させ、下端部を下部テーブル近傍の位置とし、上端部が上部テーブルまでの長さを有し、駆動源によって回転させられる透明な円筒形状の回転体を設け、回転体にはセーフ球を螺旋状案内手段に沿って上方に移動させるセーフ球保持部を設け、セーフ球保持部の最下端部にセーフ球の導入口を、セーフ球保持部の上端部に、導入口から入り回転体の螺旋状案内手段に沿って上方に移動させたセーフ球を上部テーブルに送り出すための送出部を設けるとともに、上部テーブルには特別セーフ球になる可能性のある入口及びセーフ球を入賞装置から排出するセーフ球排出路に連なる入口を設けるように構成したことを特徴とするパチンコ機の入賞装置。
【請求項２】
上記セーフ球保持部が回転体に少なくとも２以上設けられ、それぞれのセーフ球保持部は等間隔で配置されることを特徴とする請求項１記載のパチンコ機の入賞装置。
【請求項３】
上記回転体の上端部に該回転体と一体となった円形状のプレートを設け、入賞装置の上部テーブルの内側部分を構成するようにしたことを特徴とする請求項１記載のパチンコ機の入賞装置。
【発明の詳細な説明】
【０００１】
【発明が属する技術分野】
本発明は３種パチンコ機に使用される入賞装置に関する。より詳しくは、入賞装置に入ったセーフ球の経路を変化させて、特別入賞の機会を与える特別セーフ球を選別する入賞装置に関するものである。
【従来の技術】
【０００２】
第３種のパチンコ機に配置される入賞装置１は、該入賞装置１に入ったセーフ球を大当たりの可能性のある特別セーフ球を判定する判定装置４１に送るか、否かを選別する装置である。この選別を行うにつき遊技者が興趣を得るように、入賞装置１は、その内部に可動体５５を転動させたり、振り分け穴を有する回転体を回転させたりして（いずれも図示せず）、セーフ球の流路を変更する種々の装置を備えている。そして、入賞口装置１内に螺旋状案内手段１１を有する円柱体１０と規制部材５１によってセーフ球を上昇させる装置が種々提案されている。
【０００３】
図１１に示す入賞装置１は、入賞装置１の内部中央前方の位置に螺旋状案内手段１１を有する円柱体１０が図示しない駆動源により回転可能に配置されている。そして円柱体１０の周囲に円筒形状の規制部材５１が配置される。規制部材５１の下端部にセーフ球を導き入れる導入口５３が設けられ、該導入口５３の上方から該規制部材５１の上端部までセーフ球を保持するため外側に膨らみを有する連通溝である保持部５２が設けられる。入賞装置１の可動翼片５４が拡開して遊技球が入賞すると（該遊技球はセーフ球と称される。）、規制部材５１の下端部近傍に送られる。そして、セーフ球が導入口５３から入ると回転している円柱体１０の螺旋状案内手段１１によって、保持部５２に沿って真っ直ぐ上方に移送される（例えば、特許文献１参照。）。
【０００４】
図１２、１３に示す入賞装置１は、入賞装置１の後面を構成する後面壁５６のほぼ中央に磁石部材６１がその背面に密着して設けられる吸着円柱体５７となるよう膨出し、その吸着円柱体５７の上部にセーフ球が通過可能な通過穴５８が形成された流下部材５９が設けられている。吸着円柱体５７には所定の間隔を置いて上下方向に一対の凸条６０が凸設されている。凸条６０と後面壁５６との左右の上昇通路及び凸条６０に挟まれる中央の上昇通路との合計３つの上昇通が設けられる。セーフ球誘導板６３によって流入したセーフ球は、吸着円柱体５７がモーター６２によって回転すると、吸着円柱体５７に沿って真っ直ぐ上方に移送される（例えば、特許文献２参照。）。
【０００５】
【特許文献】
【特許文献１】
特開２００２−２６３２８２号公報  （第９頁、第１図、第１１頁、第５図）
【特許文献２】
特開平５−８４３４０号公報  （第３頁、第１図及び第３図）
【０００６】
上記の入賞装置１は、いずれも入賞装置１に入ったセーフ球を円柱体１０、吸着円柱体５７に沿って真っ直ぐ上方に移送させ、その後ステージ５０へ送出して可動体５５で流路を変更したり、流下部材５９上に落下させて流路を変更して、特別セーフ球を選出する構成である。これら従来の入賞装置１は、セーフ球を円柱体１０等に沿って真っ直ぐ上方に上昇させるのでセーフ球の移動経路が単調であり、上昇させるセーフ球数も少なかった。
【０００７】
【発明が解決しようとする課題】
本発明の課題は、入賞装置に入ったセーフ球を円柱体の螺旋状案内手段に沿って上昇させるとともに、保持部を複数設けて一度に多数のセーフ球を上昇させ、ステージ上に送出されたセーフ球を複雑に移行させて、特別セーフ球を選出することを課題としている。
【０００８】
【課題を解決するための手段】
上記課題を解決するため本発明の採用した手段を以下に説明する。本発明請求項１記載のパチンコ機の入賞装置は、「遊技中に条件を満たすことによって拡開する左右一対の可動翼片を備え、該左右一対の可動翼片間より入賞したセーフ球から特別セーフ球を選出し、該選出した特別セーフ球が遊技の特別条件を発生可能とするパチンコ機の入賞装置において、該入賞装置に上下二つの入賞室を設け、螺旋状案内手段を有する円柱体を上下の入賞室を仕切る上部テーブルを貫通して入賞装置に固設し、該螺旋状案内手段を有する円柱体を中心に位置させ、下端部を下部テーブル近傍の位置とし、上端部が上部テーブルまでの長さを有し、駆動源によって回転させられる透明な円筒形状の回転体を設け、回転体にはセーフ球を螺旋状案内手段に沿って上方に移動させるセーフ球保持部を設け、セーフ球保持部の最下端部にセーフ球の導入口を、セーフ球保持部の上端部に、導入口から入り回転体の螺旋状案内手段に沿って上方に移動させたセーフ球を上部テーブルに送り出すための送出部を設けるとともに、上部テーブルには特別セーフ球になる可能性のある入口及びセーフ球を入賞装置から排出するセーフ球排出路に連なる入口を設けるように構成したことを特徴とするパチンコ機の入賞装置」である。
【０００９】
「螺旋状案内手段を有する円柱体」とは、円柱状の胴部とこの胴部の周りに右上がりに傾斜してスパイラル状に巻回された形態の円柱体をいい、「駆動源によって回転させられる透明な円筒形状の回転体」とは、円柱体が見えるように透明な樹脂で成形された円筒形状の回転体が、該回転体の底板中央部に固設されたスタッドと入賞装置下部に固定されたモーターの軸を連結して回転体を１分間に２０回転の回転速度で右回りに回転されることである。また、「回転体にはセーフ球を螺旋状案内手段に沿って上方に移動させるセーフ球保持部を設け」とは、回転体の下端部に設けられセーフ球を導入する入口である導入口の上部に、外側に膨らんだ溝であるセーフ球保持部（以下単に保持部とのみ称する）を回転体の上部まで設け、該外側に膨らんだ保持部と螺旋状案内手段でセーフ球の直径の長さになるようにし、回転体を回転させることにより保持部がセーフ球を規制するため、セーフ球が螺旋状案内手段に沿って上昇することである。
【００１０】
本発明請求項２記載のパチンコ機の入賞装置は、「セーフ球保持部が回転体に少なくとも２以上設けられ、それぞれのセーフ球保持部は等間隔で配置されることを特徴とする請求項１記載のパチンコ機の入賞装置」である。
【００１１】
前記「セーフ球保持部が回転体に少なくとも２以上設けられ」とは回転体の下端部に少なくとも２つ以上の導入口を配置し、その導入口の真上に外側に膨らんだ溝を回転体の上端部まで配設することである。本発明においては３つの導入口とその真上にそれぞれ保持部を設けている。なお、保持部の上端部にはセーフ球の送出口が設けられている。
【００１２】
本発明請求項３記載のパチンコ機の入賞装置は、「回転体の上端部に該回転体と一体となった円形状のプレートを設け、入賞装置の上部テーブルの内側部分を構成するようにしたことを特徴とする請求項１記載のパチンコ機の入賞装置」である。
【００１３】
「回転体の上端部に該回転体と一体となっ円形状のプレートを設け」とは、上部テーブルが回転体の上部の周囲に設けられた一枚のプレートではなく、回転体の周囲に外側に位置する上部テーブルと同じ平面を構成する該回転体と一体となった円形状のプレートを設けることである。回転体の保持部で規制されて、円柱体の螺旋状案内手段に沿って上昇してきたセーフ球は、保持部の上部に設けられた送出口から前記円形状のプレート上に送り出され、回転体の回転によって不規則な動きをしながら、Ｖ落下口、落下口に入る。
【００１４】
【発明の実施の形態】
本発明の実施の形態を図１乃至図１０を参考にして詳細に説明する。図１は本発明の入賞装置を装着した第３種パチンコ機の正面図、図２は本発明の入賞装置の正面図、図３は本発明の入賞装置の側断面図、図４は本発明の入賞装置の側断面図、図５は本発明の入賞装置の平面図、図６は本発明の入賞装置を構成する上部ステージに移送された遊技球の動きを説明する説明図、図７は本発明の入賞装置を構成する回転体と円柱体の構成を説明する説明図、図８は本発明の入賞装置の下部ステージへの遊技球の流れと下部ステージ上の遊技球の動きを説明する説明図、図９は本発明の入賞装置の分解斜視図、図１０は本発明の入賞装置の斜視図である。
【００１５】
図中において１は第３種パチンコ機の遊技領域中央部に配置される本発明の入賞装置で、取付板２に複数設けたネジ孔２ａに図示しないネジで入賞装置１を遊技領域４０の略中央に螺着する。入賞装置１の上部には遊技領域４０に配置される通過チャッカー４２を遊技球が通過すると、その通過信号を受けた制御装置からの信号（いずれも図示せず）でソレノイド４が作動することによって拡開する一対の可動翼片３が配置される。可動翼片３の間を通過したセーフ球とも称される遊技球は、可動翼片３の下方に該可動翼片３から機台後方側に下方に向かって傾斜している通路５と該通路５に接続してセーフ球を真下に送る通路６を通過し、通路６の下方で機台後方側から機台中央側に向かって下方に傾斜しているプレート７上に落下する。なお、通路６には遊技球が可動翼片３の間に入賞したことを検知するセンサー８が配置される。プレート７上に落下したセーフ球は、回転体１５の側方を通って入賞装置１の最前端部から中央部に下向きの傾斜を有する下部ステージ９に流下する。
【００１６】
入賞装置１の中央よりやや前方側に螺旋状案内手段１１を有する円柱体１０を設ける。該円柱体１０は上端プレート部１２において入賞装置１に配置されるプレート１４に固着し、下端プレート部１３は回転体１５の底板１６と僅かな間隔を有して上方に位置する。
【００１７】
円柱体１０の螺旋状案内手段１１に側壁１７を接するように透明な円筒形状の回転体１５が配置される。入賞装置１の下部ステージ９とプレート７の間に配置されるプレート２６に孔２７を設けて回転体１５の底板１６の中央に設けた突出部２３にスタッド２２を固着してモーター２４の軸２５と図示しない方法で連結する。モーター２４が回転すると、回転体１５は円柱体１０の螺旋状案内手段１１にその側壁１７を接するように回転する。回転体１５には下部ステージ９上に送られてきたセーフ球の保持部２０が設けられる。該保持部２０は回転体１５の下端部から上端部にかけて回転体１５の外側に設けられる連続した円弧形状の溝２０ａで、該溝２０ａは円柱体１０の螺旋状案内手段１１と保持部２０の溝でセーフ球の直径となるように成形される。本実施例においては回転体１５に３本の保持部２０を等間隔に設ける。それぞれの保持部２０には下方端部にセーフ球が入ってくる導入口１８、上端部にセーフ球を送り出す送出口１９が配設される。また、回転体１５の上端部は上部ステージ３０の一部を構成するように円形状のプレート２１として成形される。該円形状のプレート２１が回転しているため送出口１９から上部ステージ３０へ送り出されたセーフ球が回転方向に移動する。
【００１８】
また、上記円形状のプレート２１はセーフ球の２分の一の厚みを有している。プレート２１の外周側には落下口３１、３２、３３が等間隔に設けられる。そしてプレート２１の下面には図示しないプレートと３つの開口が設けられており、その内の１つの開口がセーフ球を特別セーフ球（以下、Ｖ球とも称する）とする可能性のあるＶ通路３４と連なり、後の２つの開口はセーフ球を機台後方側に排出するための排出路３６に連なる。落下口３１、３２、３３にそれぞれ入ったセーフ球は、その落下口３１、３２、３３が下方に設けられた図示しない開口と同一箇所になった時に、Ｖ通路３４若しくは排出路３６へ流入する。Ｖ通路３４を通過したセーフ球は下部ステージ９の下方から遊技領域４０上に再び送り出され、入賞装置１の下方に配置される判定装置４１に入賞してＶ球になるか判定を待つことになる。なお、上部ステージ３０はプレート２１及び円形状のプレート２８とプレート２９で構成される。
【００１９】
上記のように構成した入賞装置１を遊技領域４０の略中央部に配置した第３種のパチンコ機Ａにおいて、発射ハンドル３７を回動して遊技球を発射すると遊技球は外レール３８と内レール３９の間を通過して、遊技領域４０内の上方に打ち出される。遊技領域４０内に打ち出された遊技球は図示しない釘列や風車４３に流路を変更されながら落下する。遊技球が通過チャッカー４２を通過すると入賞装置１の可動翼片３が予め定められた時間拡開する。入賞装置１に入賞したセーフ球は、通路５で入賞装置１の後方に送られ、通路６を経てプレート７上に落下し、その傾斜によって入賞装置前方に配置されている下部ステージ９に送られる。
【００２０】
下部ステージ９は機台前方側から後方側へ下向きに傾斜しており、セーフ球は１分間に時計回転方向に２０回転する回転体１５の下部近傍に流れる。セーフ球が導入口１８から回転体１５の中に入ると導入口１８の下端部に規制され、その後は導入口１８の上部に設けられた保持部２０に保持されて、回転体内部に配置されている円柱体１０の螺旋状案内手段１１に沿って上昇する。保持部２０の上方に設けられている送出口１９からセーフ球が回転体１５と一体に成形された厚みのある円形状のプレート２１上に送り出される。このプレート２１には３つの落下口３１、３２、３３が設けられており、プレート２１の回転によりセーフ球は該プレート２１の外側に配置され、上部ステージ３０を構成するプレート２８、同２９上に移動したりする不規則な動きをして、前記落下口３１、３２、３３に入る。落下口３１、３２、３３に入ったセーフ球は、プレート２１の下方に設けたプレートによって保持されながら回転し、Ｖ球通路３４、排出路３６の開口と落下口３１、３２、３３が同一箇所にきたとき、それぞれの通路に流入する。
【００２１】
排出路３６に流入したセーフ球は、機台裏面に排出され、Ｖ通路３４に流入したセーフ球は、Ｖ通路出口３５から再び遊技領域４０に送り出され、入賞装置１の下方に配置される判定装置４１に誘導される。誘導されたセーフ球は判定装置４１において停留し、センサー４１ｃがセーフ球を検知すると表示装置４４の図柄（本実施例では数字）が作動する。そして、予め定められた数字が表示されると、停留していたセーフ球は判定装置４１の右側の誘導口４１ａに送られセンサー４１ｃがこれを検知することで大当たりの権利が発生する。表示装置４４で予め定められた図柄以外の図柄が表示された場合、セーフ球は左側の誘導口４１ｂから判定装置４１外に出て、アウト口４７から排出される。
【００２２】
大当たりの権利が発生した後に、遊技領域４０の右方に配置したロータリーチャッカー４５に遊技球を入賞させると、ロータリーチャッカー４５は遊技球を保持したまま１０秒で１回転して、その後遊技球は機台裏側に通ずる排出路３６から排出される。排出路３６に設けられるセンサーに検知される。この検知信号により制御装置からの信号（いずれも図示せず）で、ミニアタッカー４６が予め定められた回数、若しくは予め定められた時間、或いは予め定められた数の遊技球が入賞するまで作動し、賞球を払い出す。なお、入賞装置１には、入賞装置１の前面を覆って前面飾り４８、レンズ飾り４９が配設され、遊技球が入賞装置１に入る都度、大当たり時に前飾り４８、レンズ飾り部４９の内部に配置される光源が光る。
【００２３】
【発明の効果】
本発明の入賞装置は、入賞装置に入ったセーフ球が円柱体に設けた螺旋状案内手段に沿って上昇したり、上昇した後には回転する上部ステージに送り出されて、不規則に移動しながら落下口に入り、更に回転してＶ通路に流入したセーフ球は再び遊技領域に送り出されて来るので、従来の入賞装置より遊技者により興趣を与えることができる。
【図面の簡単な説明】
【図１】本発明の入賞装置を装着した第３種パチンコ機の正面図である。
【図２】本発明の入賞装置の正面図である。
【図３】本発明の入賞装置の側断面図である。
【図４】同じく本発明の入賞装置の側断面図である。
【図５】本発明の入賞装置の平面図である。
【図６】本発明の入賞装置を構成する上部ステージに移送された遊技球の動きを説明する説明図である。
【図７】同じく、本発明の入賞装置を構成する回転体と円柱体の構成を説明する説明図である。
【図８】本発明の入賞装置の下部ステージへの遊技球の流れと下部ステージ上の遊技球の動きを説明する説明図である。
【図９】本発明の入賞装置の分解斜視図である。
【図１０】本発明の入賞装置の斜視図である。
【図１１】従来の入賞装置の説明図である。
【図１２】他の寿裏の入賞装置のセーフ球の流れを説明する側断面図である。
【図１３】他の従来の入賞装置のセーフ球の流れを説明する正面図である。
【符号の説明】
１；入賞装置、２；取付板、３：可動翼片、４；ソレノイド、５；通路、６；通路、７；プレート、８；センサー、９；下部ステージ、１０；円柱体、１１；螺旋状案内手段、１２；上端プレート部、１３；下端プレート部、１４，プレート、１５；回転体、１６；底板、１７；側壁、１８；導入口、１９；送出口、２０；保持部、２１；プレート、２２；スタッド、２３；突出部、２４；モーター、２５；軸、２６；プレート、２７；孔、２８；プレート、２９；プレート、３０；上部ステージ、３１、３２、３３；落下口、３４；Ｖ通路、３５；Ｖ通路出口、３６；排出路、３７；発射ハンドル、３８；外レール、３９；内レール、４０；遊技領域、４１；判定装置、４２；通過チャッカー、４３；風車、４４；表示装置、４５；ロータリーチャッカー、４６；ミニアタッカー、４７；アウト口、４８；前飾り、４９；レンズ飾り部、５０；ステージ、５１；規制部材、５２；保持部、５３；導入口、５４；可動翼片、５５；可動体、５６；後面壁、５７；吸着円柱体、５８；通過穴、５９；流下部材、６０；凸条、６１；磁石部材、６２；モーター、６３；セーフ球誘導板。
【図１】
2004194783.tif 000003
【図２】
2004194783.tif 000004
【図３】
2004194783.tif 000005
【図４】
2004194783.tif 000006
【図５】
2004194783.tif 000007
【図６】
2004194783.tif 000008
【図７】
2004194783.tif 000009
【図８】
2004194783.tif 000010
【図９】
2004194783.tif 000011
【図１０】
2004194783.tif 000012
【図１１】
2004194783.tif 000013
【図１２】
2004194783.tif 000014
【図１３】
2004194783.tif 000015